【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
第２のモバイル装置とワイヤレスに通信するための第１のモバイル装置であって、
ワイヤレスネットワークの少なくとも１つのチャネルで通信することに関連付けられている通信情報を記憶するように構成されたメモリユニットと、
前記メモリユニットに動作可能に結合され、
通信リンクを介して前記第２のモバイル装置との通信を確立することと、
前記メモリユニットから前記通信情報を取り出すことと、
前記通信情報の少なくとも一部を前記第２のモバイル装置に提供することと、前記通信情報の前記少なくとも一部は、それが特定の位置について有効であることを指示する、
を行うように構成された処理システムと、
を備える第１のモバイル装置。
【請求項２】
前記通信リンクはピアツーピア通信リンクであり、前記第１のモバイル装置は、前記通信情報の前記少なくとも一部を前記ピアツーピア通信リンクを介して前記第２のモバイル装置に提供する、請求項１に記載の第１のモバイル装置。
【請求項３】
前記通信リンクは少なくとも１つのアクセスポイントを介して確立され、前記第１のモバイル装置は、前記通信情報の前記少なくとも一部を前記少なくとも１つのアクセスポイントを介して前記第２のモバイル装置に提供する、請求項１に記載の第１のモバイル装置。
【請求項４】
前記通信情報は前記少なくとも１つのチャネルで動作する少なくとも１つの基地局の同期情報を備え、前記処理システムは、前記同期情報の少なくとも一部を前記第２のモバイル装置に提供するようにさらに構成される、請求項１に記載の第１のモバイル装置。
【請求項５】
前記少なくとも１つのチャネルの前記通信情報は、シンボルタイミング情報、スロットタイミング情報、少なくとも１つのユーザデバイスのバッテリレベル、フレームタイミング情報、前記少なくとも１つのチャネルで動作する少なくとも１つの基地局のプライマリスクランブリングコードまたはセカンダリスクランブリングコードのうちの少なくとも１つを備え、前記処理システムは、前記シンボルタイミング情報、前記スロットタイミング情報、少なくとも１つのユーザデバイスの前記バッテリレベル、前記フレームタイミング情報、前記プライマリスクランブリングコードまたは前記セカンダリスクランブリングコードのうちの前記少なくとも１つの少なくとも一部を前記第２のモバイル装置に提供するようにさらに構成される、請求項１に記載の第１のモバイル装置。
【請求項６】
前記通信情報はしきい値よりも大きいＲＳＳＩ値を有する１つまたは複数のチャネルのリストを備える、請求項１に記載の第１のモバイル装置。
【請求項７】
前記通信情報は少なくとも１つの基地局のロケーション情報を備え、前記処理システムは、前記少なくとも１つの基地局の前記ロケーション情報の少なくとも一部を前記第２のモバイル装置に提供するようにさらに構成される、請求項１に記載の第１のモバイル装置。
【請求項８】
ワイヤレス通信の方法であって、第１のユーザ機器によって実行される前記方法は、
ワイヤレスネットワークの少なくとも１つのチャネルで通信することに関連付けられている通信情報を取り出すことと、
通信リンクを介して第２のユーザ機器との通信を確立することと、
前記確立された通信リンクを介して前記第２のユーザ機器に前記通信情報の少なくとも一部を提供することと、前記通信情報の前記少なくとも一部は、それが特定の位置について有効であることを指示する、
を備える方法。
【請求項９】
前記通信を前記確立することは、ピアツーピア通信リンクを介して前記第２のユーザ機器との前記通信を確立することをさらに備える、請求項８に記載の方法。
【請求項１０】
前記通信を前記確立することは、少なくとも１つのアクセスポイントを介して前記第２のユーザ機器との前記通信を確立することをさらに備える、請求項８に記載の方法。
【請求項１１】
通信情報を前記取り出すことは、前記少なくとも１つのチャネルで動作する少なくとも１つの基地局の同期情報を取り出すことをさらに備える、請求項８に記載の方法。
【請求項１２】
通信情報を前記取り出すことは、シンボルタイミング情報、スロットタイミング情報、フレームタイミング情報、前記少なくとも１つのチャネルで動作する少なくとも１つの基地局のプライマリスクランブリングコードまたはセカンダリスクランブリングコードのうちの少なくとも１つを取り出すことをさらに備える、請求項８に記載の方法。
【請求項１３】
通信情報を前記取り出すことは、前記少なくとも１つのチャネルで動作する少なくとも１つの基地局のＲＳＳＩ情報を取り出すことをさらに備える、請求項８に記載の方法。
【請求項１４】
通信情報を前記取り出すことは、前記少なくとも１つのチャネルで動作する少なくとも１つの基地局のロケーション情報を取り出すことをさらに備える、請求項８に記載の方法。
【請求項１５】
コンピュータ上で動作するとき、請求項１乃至７のいずれかに従う方法を実行するための命令を備える、コンピュータプログラム。
【手続補正２】
【補正対象書類名】明細書
【補正対象項目名】００９１
【補正方法】変更
【補正の内容】
【００９１】
[0105]同様に、操作は特定の順序で図面に示されているが、これは、そのような操作が示されている特定の順序または順次に実行されること、またはすべての説明されている操作が実行されることを要求するものと理解されるべきではない。ある特定の状況において、マルチタスキングおよび並列処理が有益となり得る。その上、上記で説明される実施態様における様々なシステムコンポーネントの分離は、すべての実施態様においてそのような分離を要求するものと理解されるべきではなく、説明されるプログラムコンポーネントおよびシステムが一般に単一のソフトウェア製品に一体化されるか、または複数のソフトウェア製品にパッケージングされてもよいことを理解されたい。加えて、その他の実施態様は、以下の特許請求の範囲に含まれる。場合によっては、特許請求の範囲において列挙されるアクションは、異なる順序で実行され得るが、引き続き望ましい結果を達成する。
以下に、本願出願の当初の特許請求の範囲に記載された発明を付記する。
［Ｃ１］
第２のモバイル装置とワイヤレスに通信するための第１のモバイル装置であって、
ワイヤレスネットワークの少なくとも１つのチャネルで通信することに関連付けられている通信情報を記憶するように構成されたメモリユニットと、
前記メモリユニットに動作可能に結合され、
通信リンクを介して前記第２のモバイル装置との通信を確立することと、
前記メモリユニットから前記通信情報を取り出すことと、
前記通信情報の少なくとも一部を前記第２のモバイル装置に提供することと、
を行うように構成された処理システムと、
を備える第１のモバイル装置。
［Ｃ２］
前記通信リンクはピアツーピア通信リンクであり、前記第１のモバイル装置は、前記通信情報の前記少なくとも一部を前記ピアツーピア通信リンクを介して前記第２のモバイル装置に提供する、Ｃ１に記載の第１のモバイル装置。
［Ｃ３］
前記通信リンクは少なくとも１つのアクセスポイントを介して確立され、前記第１のモバイル装置は、前記通信情報の前記少なくとも一部を前記少なくとも１つのアクセスポイントを介して前記第２のモバイル装置に提供する、Ｃ１に記載の第１のモバイル装置。
［Ｃ４］
前記通信情報は前記少なくとも１つのチャネルで動作する少なくとも１つの基地局の同期情報を備え、前記処理システムは、前記同期情報の少なくとも一部を前記第２のモバイル装置に提供するようにさらに構成される、Ｃ１に記載の第１のモバイル装置。
［Ｃ５］
前記少なくとも１つのチャネルの前記通信情報は、シンボルタイミング情報、スロットタイミング情報、少なくとも１つのユーザデバイスのバッテリレベル、フレームタイミング情報、前記少なくとも１つのチャネルで動作する少なくとも１つの基地局のプライマリスクランブリングコードまたはセカンダリスクランブリングコードのうちの少なくとも１つを備え、前記処理システムは、前記シンボルタイミング情報、前記スロットタイミング情報、少なくとも１つのユーザデバイスの前記バッテリレベル、前記フレームタイミング情報、前記プライマリスクランブリングコードまたは前記セカンダリスクランブリングコードのうちの前記少なくとも１つの少なくとも一部を前記第２のモバイル装置に提供するようにさらに構成される、Ｃ１に記載の第１のモバイル装置。
［Ｃ６］
前記通信情報はしきい値よりも大きいＲＳＳＩ値を有する１つまたは複数のチャネルのリストを備える、Ｃ１に記載の第１のモバイル装置。
［Ｃ７］
前記通信情報は少なくとも１つの基地局のロケーション情報を備え、前記処理システムは、前記少なくとも１つの基地局の前記ロケーション情報の少なくとも一部を前記第２のモバイル装置に提供するようにさらに構成される、Ｃ１に記載の第１のモバイル装置。
［Ｃ８］
前記通信情報は少なくとも１つの基地局のＰＮ位置情報を備え、前記処理システムは、前記少なくとも１つの基地局の前記ＰＮ位置情報の少なくとも一部を前記第２のモバイル装置に提供するようにさらに構成される、Ｃ１に記載の第１のモバイル装置。
［Ｃ９］
前記処理システムに動作可能に結合されたチャネルサーチモジュールをさらに備え、前記処理システムは、
前記通信リンクを介して前記第２のモバイル装置から少なくとも１つの協働サーチ要求を受信することと、前記協働サーチ要求は前記少なくとも１つのチャネルの前記情報の別の部分を識別する、
チャネルサーチモジュールを介して前記情報の前記別の部分を検索することと、
前記情報の前記別の部分を前記通信リンクを介して前記第２のモバイル装置に提供することと、
を行うようにさらに構成される、Ｃ１に記載の第１のモバイル装置。
［Ｃ１０］
前記情報の前記別の部分は、前記少なくとも１つのチャネルで動作する少なくとも１つの基地局の同期情報を備え、前記処理システムは、前記チャネルサーチモジュールを介して前記同期情報を検索するようにさらに構成される、Ｃ９に記載の第１のモバイル装置。
［Ｃ１１］
前記少なくとも１つのチャネルの前記情報の前記別の部分は、シンボルタイミング情報、スロットタイミング情報、フレームタイミング情報、前記少なくとも１つのチャネルで動作する少なくとも１つの基地局のプライマリスクランブリングコードまたはセカンダリスクランブリングコードのうちの少なくとも１つを備え、前記処理システムは、前記シンボルタイミング情報、前記スロットタイミング情報、前記フレームタイミング情報、前記プライマリスクランブリングコードまたは前記セカンダリスクランブリングコードのうちの前記少なくとも１つを前記チャネルサーチモジュールを介して検索するようにさらに構成される、Ｃ９に記載の第１のモバイル装置。
［Ｃ１２］
前記情報の前記別の部分は、しきい値よりも大きいＲＳＳＩ値を有する１つまたは複数のチャネルのリストを含み、前記処理システムは、前記チャネルサーチモジュールを介して、良好なＲＳＳＩ値を有する前記１つまたは複数のチャネルの前記リストを検索するようにさらに構成される、Ｃ９に記載の第１のモバイル装置。
［Ｃ１３］
前記情報の前記別の部分は、少なくとも１つの基地局のロケーション情報を備え、前記処理システムは、前記チャネルサーチモジュールを介して前記少なくとも１つの基地局の前記ロケーション情報を検索するようにさらに構成される、Ｃ９に記載の第１のモバイル装置。
［Ｃ１４］
前記情報の前記別の部分は、少なくとも１つの基地局のＰＮ位置情報を備え、前記処理システムは、前記チャネルサーチモジュールを介して前記少なくとも１つの基地局の前記ＰＮ位置情報を検索するようにさらに構成される、Ｃ９に記載の第１のモバイル装置。
［Ｃ１５］
前記処理システムは、
別の通信リンクを介して１つまたは複数のモバイル装置から少なくとも１つの協働サーチ要求を受信することと、前記少なくとも１つの協働サーチ要求は前記ワイヤレスネットワークの前記情報の別の部分を識別する、
検索すべき前記第１のモバイル装置の通信情報を決定することと、
検索すべき前記１つまたは複数の他のモバイル装置に関する通信情報を決定して、前記そのような情報を前記１つまたは複数の他のモバイル装置に通信することと、
前記ワイヤレスネットワークの通信情報を決定することと、
前記決定された通信情報の少なくとも一部を前記１つまたは複数のモバイル装置に提供することと、
前記ワイヤレスネットワークの通信情報を前記１つまたは複数のモバイル装置から受信することと、
を行うようにさらに構成される、Ｃ１に記載の第１のモバイル装置。
［Ｃ１６］
前記第１のモバイル装置および検索すべき前記１つまたは複数のモバイル装置に関する情報を決定することは、前記第１のモバイル装置または前記１つまたは複数のモバイル装置のうちの少なくとも１つのバッテリ電力レベル情報に少なくとも部分的に基づく、Ｃ１５に記載の第１のモバイル装置。
［Ｃ１７］
前記処理システムは協働サーチ要求を第３の装置に送信するようにさらに構成され、前記協働サーチ要求は前記少なくとも１つのチャネルの前記情報の別の部分を備える、Ｃ１に記載の第１のモバイル装置。
［Ｃ１８］
前記協働サーチ要求は、前記１つまたは複数のモバイル装置のバッテリ電力レベル情報を含む、Ｃ１７に記載の第１のモバイル装置。
［Ｃ１９］
前記通信情報は、前記第１のモバイル装置または前記第２のモバイル装置のうちの少なくとも１つのバッテリ電力レベル情報を備える、Ｃ１に記載の第１のモバイル装置。
［Ｃ２０］
ワイヤレス通信の方法であって、第１のユーザ機器によって実行される前記方法は、
ワイヤレスネットワークの少なくとも１つのチャネルで通信することに関連付けられている通信情報を取り出すことと、
通信リンクを介して第２のユーザ機器との通信を確立することと、
前記確立された通信リンクを介して前記第２のユーザ機器に前記通信情報の少なくとも一部を提供することと、
を備える方法。
［Ｃ２１］
前記通信を前記確立することは、ピアツーピア通信リンクを介して前記第２のユーザ機器との前記通信を確立することをさらに備える、Ｃ２０に記載の方法。
［Ｃ２２］
前記通信を前記確立することは、少なくとも１つのアクセスポイントを介して前記第２のユーザ機器との前記通信を確立することをさらに備える、Ｃ２０に記載の方法。
［Ｃ２３］
通信情報を前記取り出すことは、前記少なくとも１つのチャネルで動作する少なくとも１つの基地局の同期情報を取り出すことをさらに備える、Ｃ２０に記載の方法。
［Ｃ２４］
通信情報を前記取り出すことは、シンボルタイミング情報、スロットタイミング情報、フレームタイミング情報、前記少なくとも１つのチャネルで動作する少なくとも１つの基地局のプライマリスクランブリングコードまたはセカンダリスクランブリングコードのうちの少なくとも１つを取り出すことをさらに備える、Ｃ２０に記載の方法。
［Ｃ２５］
通信情報を前記取り出すことは、前記少なくとも１つのチャネルで動作する少なくとも１つの基地局のＲＳＳＩ情報を取り出すことをさらに備える、Ｃ２０に記載の方法。
［Ｃ２６］
通信情報を前記取り出すことは、前記少なくとも１つのチャネルで動作する少なくとも１つの基地局のロケーション情報を取り出すことをさらに備える、Ｃ２０に記載の方法。
［Ｃ２７］
通信情報を前記取り出すことは、前記少なくとも１つのチャネルで動作する少なくとも１つの基地局のＰＮ位置情報を取り出すことをさらに備える、Ｃ２０に記載の方法。
［Ｃ２８］
前記通信リンクを介して前記第２のユーザ機器から少なくとも１つの協働サーチ要求を受信することと、前記少なくとも１つの協働サーチ要求は前記少なくとも１つのチャネルの別の部分を識別する、
チャネルサーチモジュールを介して前記情報の前記別の部分を検索することと、
前記情報の前記別の部分を前記第２のユーザ機器に提供することと、
をさらに備える、Ｃ２０に記載の方法。
［Ｃ２９］
前記情報の前記別の部分を前記検索することは、前記少なくとも１つのチャネルで動作する少なくとも１つの基地局の同期情報を識別することをさらに備える、Ｃ２８に記載の方法。
［Ｃ３０］
前記情報の前記別の部分を前記検索することは、シンボルタイミング情報、スロットタイミング情報、フレームタイミング情報、前記少なくとも１つのチャネルで動作する少なくとも１つの基地局のプライマリスクランブリングコードまたはセカンダリスクランブリングコードのうちの少なくとも１つを識別することをさらに備える、Ｃ２８に記載の方法。
［Ｃ３１］
前記情報の前記別の部分を前記検索することは、前記少なくとも１つのチャネルで動作する少なくとも１つの基地局のＲＳＳＩ情報を識別することをさらに備える、Ｃ２８に記載の方法。
［Ｃ３２］
前記情報の前記別の部分を前記検索することは、前記少なくとも１つのチャネルで動作する少なくとも１つの基地局のロケーション情報を識別することをさらに備える、Ｃ２８に記載の方法。
［Ｃ３３］
別の通信リンクを介して第３のユーザ機器から少なくとも１つの協働サーチ要求を受信することと、前記少なくとも１つの協働サーチ要求は前記少なくとも１つのチャネルの情報の別の部分を識別する、
前記情報の前記別の部分を前記第２のユーザ機器に提供することと、
をさらに備える、Ｃ２０に記載の方法。
［Ｃ３４］
少なくとも１つの協働サーチ要求を前記受信することは、前記第１のユーザ機器、前記第２のユーザ機器、または前記第３のユーザ機器のうちの少なくとも１つのバッテリ電力レベル情報に少なくとも部分的に基づいて少なくとも１つの協働サーチ要求を受信することを備える、Ｃ３３に記載の方法。
［Ｃ３５］
協働サーチ要求を第３のユーザ機器に送信することをさらに備え、前記協働サーチ要求は前記少なくとも１つのチャネルの前記情報の別の部分を備えるＣ２０に記載の方法。
［Ｃ３６］
前記協働サーチ要求を前記送信することは、前記第１のユーザ機器、前記第２のユーザ機器、または前記第３のユーザ機器のうちの少なくとも１つのバッテリ電力レベル情報に少なくとも部分的に基づいて前記協働サーチ要求を送信することを備える、Ｃ３５に記載の方法。
［Ｃ３７］
通信情報を前記取り出すことは、前記第１のユーザ機器または前記第２のユーザ機器のバッテリ電力レベル情報を取り出すことをさらに備え、前記方法は、前記第１および第２のユーザ機器のバッテリ電力レベル情報に少なくとも部分的に基づいて、実行すべき前記第１および第２のユーザ機器の協働サーチの部分を決定することをさらに備える、Ｃ２０に記載の方法。
［Ｃ３８］
第２のモバイル装置とワイヤレスに通信するための第１のモバイル装置であって、前記第１のモバイル装置は、
ワイヤレスネットワークの少なくとも１つのチャネルで通信することに関連付けられている通信情報を取り出すための手段と、
通信リンクを介して前記第２のモバイル装置との通信を確立するための手段と、
前記通信リンクを介して前記第２のユーザ機器に前記情報の少なくとも一部を提供するための手段と、
を備える第１のモバイル装置。
［Ｃ３９］
前記通信リンクを介して前記第２のユーザ機器から少なくとも１つの協働サーチ要求を受信するための手段と、前記少なくとも１つの協働サーチ要求は前記少なくとも１つのチャネルの別の部分を識別する、
チャネルサーチモジュールを介して前記情報の前記別の部分を検索するための手段と、
をさらに備える、Ｃ３８に記載の第１のモバイル装置。
［Ｃ４０］
別の通信リンクを介して第３のユーザ機器から少なくとも１つの協働サーチ要求を受信するための手段と、前記少なくとも１つの協働サーチ要求は前記少なくとも１つのチャネルの情報の別の部分を識別する、
前記情報の前記別の部分を前記第２のユーザ機器に提供するための手段と、
をさらに備える、Ｃ３８に記載の第１のモバイル装置。